(57)【要約】【課題】本発明は、容易且つ簡便にネクタイを装着することができるネクタイ留め具及びネクタイセットの提供を目的とする。【解決手段】本発明のネクタイ留め具は、可撓性を有し、ネクタイに巻回可能な帯状の留め具本体と、この留め具本体の一の端部に付設される係止部と、この留め具本体の他の端部に形成され、上記係止部に係脱可能な被係止部とを備える。帯状の留め具本体が可撓性を有するため、ネクタイの小剣部と大剣部とを合わした部分に留め具本体を巻回することができ、このようにネクタイに留め具本体を巻回した状態で係止部を被係止部に係止することにより、ネクタイの小剣部と大剣部とを合わした部分が当該ネクタイ留め具により係止され、これにより、ネクタイを容易且つ簡便に装着することができる。上記留め具本体のネクタイとの当接側の面に付設される滑止部を備えることが好ましい。【選択図】図１
2014054325.tif 000002
【特許請求の範囲】
【請求項１】
可撓性を有し、ネクタイに巻回可能な帯状の留め具本体と、
この留め具本体の一の端部に付設される係止部と、
この留め具本体の他の端部に形成され、上記係止部に係脱可能な被係止部と
を備えるネクタイ留め具。
【請求項２】
上記留め具本体のネクタイとの当接側の面に付設される滑止部をさらに備える請求項１に記載のネクタイ留め具。
【請求項３】
上記滑止部が、留め具本体のネクタイとの当接側の面に部分的に配設される請求項２に記載のネクタイ留め具。
【請求項４】
複数の上記被係止部を備える請求項１、請求項２又は請求項３に記載のネクタイ留め具。
【請求項５】
請求項１から請求項４のいずれか１項に記載のネクタイ留め具と、
ネクタイと
を備えるネクタイセット。
【発明の詳細な説明】
【技術分野】
【０００１】
本発明は、ネクタイ留め具及びネクタイセットに関する。
【背景技術】
【０００２】
一般に、ネクタイを堅実かつ端正に結ぶには、ネクタイを結ぶ経験が必要であるため、ネクタイを使い始めた人や不器用な人にはネクタイを結ぶのが億劫となることがある。そこで、結び目が予め形成されておりクリップ等でワイシャツの襟に取付けるネクタイや、ネクタイを結ぶことなくネクタイをワイシャツに装着することができるネクタイ留め具が開発されている。
【０００３】
また、ネクタイの小剣部の通し部やワイシャツへの差込片を有するネクタイ留め具も公知である（特開２００７−４４１７６号公報）。このネクタイ留め具は、アーチ状に湾曲してなる逆三角形の本体と、この本体の上縁両側から斜め上方に延成した一対の差込片と、ネクタイ小剣部の通し部等からなり、通し部にネクタイを通し差込片をワイシャツの襟に差し込んで使用するものである。
【０００４】
しかし、上記ネクタイ留め具は、ネクタイをネクタイ留め具の通し部に通した後、ネクタイを差込片に巻きつけたりするなど、ネクタイを装着するためにはいくつかの手順が必要である。従って、不慣れな人や不器用な人にとっては、簡便にネクタイを装着することができないおそれがある。また、ネクタイをワイシャツに取付けるためには、ネクタイ留め具の差込片やフック部をワイシャツに装着する手間が必要である。
【先行技術文献】
【特許文献】
【０００５】
【特許文献１】特開２００７−４４１７６号公報
【発明の概要】
【発明が解決しようとする課題】
【０００６】
本発明は、上述のような事情に鑑みてなされたものであり、容易且つ簡便にネクタイを装着することができるネクタイ留め具及びネクタイセットの提供を目的とするものである。
【課題を解決するための手段】
【０００７】
上記課題を解決するためになされた本発明のネクタイ留め具は、可撓性を有し、ネクタイに巻回可能な帯状の留め具本体と、この留め具本体の一の端部に付設される係止部と、この留め具本体の他の端部に形成され、上記係止部に係脱可能な被係止部とを備える。
【０００８】
当該ネクタイ留め具にあっては、帯状の留め具本体が可撓性を有するため、ネクタイの小剣部と大剣部とを合わした部分に留め具本体を巻回することができる。そして、このようにネクタイに留め具本体を巻回した状態で係止部を被係止部に係止することにより、ネクタイの小剣部と大剣部とを合わした部分が当該ネクタイ留め具により係止される。これにより、ネクタイを容易且つ簡便に装着することができる。
【０００９】
また、上記留め具本体のネクタイとの当接側の面に付設される滑止部をさらに備えることが好ましい。ネクタイが当接する面に滑止部を有することにより、当該ネクタイ留め具とネクタイとのズレを防ぐことができる。
【００１０】
さらに、上記滑止部をネクタイの当接側の面全面に亘って配設することも可能であるが、ネクタイの当接側の面に部分的に配設されることが好ましい。つまり、ネクタイの当接側の全面に亘って配設した場合には、留め具本体をネクタイに巻回すべく撓ませた際に滑止部が留め具本体の撓みを阻害するおそれがある。これに対して、滑止部をネクタイの当接側の面に部分的に配設することで留め具本体の可撓性が好適に維持され、ネクタイに容易かつ確実に巻回することができる。
【００１１】
また、当該ネクタイ留め具は、複数の被係止部を備えることが好ましい。複数の被係止部を備えることにより、当該ネクタイ留め具をネクタイに巻回する際に、係止部を係止する被係止部を選択することができる。このため、ネクタイに巻回する際の締め付け度等を調整することも可能となる。
【００１２】
また、本発明に係るネクタイセットは、上記構成からなるネクタイ留め具と、ネクタイとを備える。
【００１３】
当該ネクタイセットは、ネクタイ留め具の帯状の留め具本体が可撓性を有するため、ネクタイの小剣部と大剣部とを合わした部分に留め具本体を巻回することができる。そして、このようにネクタイに留め具本体を巻回した状態で係止部を被係止部に係止することにより、ネクタイの小剣部と大剣部とを合わした部分が当該ネクタイ留め具により係止される。これにより、ネクタイを容易且つ簡便に装着することができる。
【発明の効果】
【００１４】
以上説明したように、本発明のネクタイ留め具及びネクタイセットは、容易かつ簡便にネクタイを装着することができる。
【図面の簡単な説明】
【００１５】
【図１】本発明の一実施形態に係るネクタイ留め具を湾曲形状にした模式的斜視図である。
【図２】図１のネクタイ留め具の模式的平面図である。
【図３】図１のネクタイ留め具の模式的背面図である。
【図４】図１のネクタイ留め具の装着手順を示した図である。
【発明を実施するための形態】
【００１６】
以下、適宜図面を参照しつつ本発明の実施の形態を説明する。
【００１７】
＜ネクタイセット＞
当該ネクタイセットは、ネクタイ及びネクタイ留め具１を備える。
【００１８】
当該ネクタイセットのネクタイは、公知ものを用いることができ、特に限定されないが、大剣部の幅が、７ｃｍから９ｃｍの幅の通常幅のネクタイや４ｃｍから６ｃｍの幅の細めの幅のネクタイを用いることができる。
＜ネクタイ留め具１＞
【００１９】
当該ネクタイ留め具１は、図１に示すように、留め具本体２、係止部３、複数の被係止部４及び滑止部５を備える。
【００２０】
（留め具本体２）
留め具本体２は、帯状に設けられ、可撓性を有しておりネクタイに卷回することできる。留め具本体２は、弾性復元力を有し、外力が作用しない状態では平板状をなしている。
【００２１】
留め具本体２の形成材料としては、可撓性を有していればよく、特に限定されないが、ポリプロピレン、ポリエチレン、ポリエチレンテレフタレート等の合成樹脂を採用することができる。
【００２２】
また、留め具本体２は、帯状に形成される。留め具本体２の帯状の長手方向の長さは、特に限定されないが、４ｃｍ以上９ｃｍ以下が好ましい。留め具本体２の長手方向の長さが上記下限未満の場合、ネクタイを卷回するための長さが不足する可能性がある。また、長手方向の長さが上記上限を超える場合、当該ネクタイ留め具１がネクタイから滑り落ちる可能性がある。
【００２３】
また、留め具本体２の帯状の短手方向の長さは、特に限定されないが１ｃｍ以上３ｃｍ以下が好ましい。留め具本体２の短手方向の長さが上記下限未満の場合、ネクタイを卷回する際に当該ネクタイ留め具１を扱うのが困難となる可能性がある。また、短手方向の長さが上記上限を超える場合、当該ネクタイ留め具１を用いて装着したネクタイの装飾性を損なうおそれがある。
【００２４】
さらに、留め具本体２は、長手方向に沿った辺（図２及び図３の上辺及び下辺）が波状に湾曲して設けられている。
【００２５】
また、留め具本体２の帯状の厚さは、０．０２ｃｍ以上０．３ｃｍ以下が好ましい。留め具本体２の厚さが上記範囲の場合、ネクタイを卷回する際の当該ネクタイ留め具１の取扱い性が損なわれない。
【００２６】
（係止部３）
係止部３は、図２に示すように、留め具本体２の一の端部に付設される。この係止部３は、後述する被係止部４に係止されることで、留め具本体２のネクタイへの卷回状態を保持することができる。
【００２７】
係止部３の形状は、被係止部４に係止することができればよく、特に限定されないが、鉤状を採用することができる。また、図３に示すように、この鉤が、ネクタイの当接面側に向くよう形成され、当該ネクタイ留め具１がネクタイを卷回した状態において、被係止部４に係止される。
【００２８】
係止部３の形成材料は、鉤として公知のものを採用することができ、特に限定されないが、鉄、アルミニウム等の金属や合成樹脂等を採用することができる。
【００２９】
また、係止部３の大きさは、特に限定されないが、０．５ｃｍ以上１．５ｃｍ以下が好ましい。係止部３の大きさが上記下限未満の場合、係止部３が小さすぎて当該ネクタイ留め具１を係止するのが困難となる可能性がある。また、係止部３の大きさが上記上限を超える場合、当該ネクタイ留め具１によりネクタイを装着した際、ネクタイを装着したシャツを傷つける可能性がある。
【００３０】
（被係止部４）
被係止部４は、図２に示すように、留め具本体２の他の端部に形成された穿孔から構成されている。ここで、複数の被係止部４は、留め具本体２の他の端部において、留め具本体２の長手方向に沿って配列されている。
【００３１】
被係止部４の形状は、係止部３が係止される形状であればよく、特に限定されないが、円状、楕円状、矩形状等を採用することができる。
【００３２】
被係止部４の大きさは、係止部３が係止される大きさであればよく、特に限定されないが、被係止部４が円状である場合においては、半径が０．１ｃｍ以上０．５ｃｍ以下であることが好ましい。被係止部４の大きさが上記下限未満の場合、被係止部４が小さすぎて係止部３を被係止部４に係止するのが困難となる可能性がある。また、被係止部４の大きさが上記上限を超える場合、被係止部４が留め具本体２の長手方向の中央側に形成される可能性があり、当該ネクタイ留め具１の装飾性が損なわれる可能性がある。
【００３３】
また、被係止部４の穿孔の周囲に、穿孔の周囲の留め具本体２を保護するためのリング状の保護部材が形成されてもよい。この保護部材は、特に限定されないが、係止部３と同様の部材を採用することができる。これにより、係止部３が、被係止部４に係止される際に生じる穿孔の周囲の留め具本体２の損傷を防止することができる。
【００３４】
（滑止部５）
滑止部５は、図３に示すように、留め具本体２のネクタイとの当接側の面に付設される。滑止部５は、ネクタイを卷回した状態において、当該ネクタイ留め具１とネクタイとのズレを防止する。
【００３５】
また、滑止部５は、留め具本体２のネクタイとの当接側の面に部分的に配設される。具体的には、図３に示すように、留め具本体２のネクタイとの当接側の面から複数の突起５ａが突設されており、この複数の突起５ａが互いに隙間をもって配設されており、この複数の突起５ａから滑止具５が構成されている。なお、図示例では、突起５ａは菱形状をなし、複数の突起５ａが留め具本体２の短手方向に二列で、長手方向に沿って隙間をもって配列されている。
【００３６】
滑止部５（突起５ａ）の形成材料としては、当該ネクタイ留め具１とネクタイとのズレが防止できればよく、特に限定されないが、スポンジ状の合成樹脂やゴム等の弾性樹脂を採用することができる。なお、滑止部５（突起５ａ）は弾性変形可能な素材から構成することが好ましく、これにより留め具本体２をネクタイに巻回した際に滑止部５が弾性変形することで、ネクタイとのズレをより効果的に防止することができる。
【００３７】
また、滑止部５の厚さ（突起５ａの突出高さ）としては、特に限定さないが、０．１ｃｍ以上０．５ｃｍ以下とすることができる。滑止部５の厚さが上記下限未満の場合、当該ネクタイ留め具１とネクタイとのズレを防止できないおそれがある。また、滑止部５の厚さが上記上限を超える場合、当該ネクタイ留め具１によりネクタイを装着した際の当該ネクタイ留め具１の装飾性を損なうおそれがある。
【００３８】
＜装着手順＞
次に、図４を参酌しつつ、当該ネクタイ留め具１を用いてネクタイを装着する手順について説明する。
【００３９】
（手順１）
まず、装着するネクタイの大剣部と小剣部とを好みの長さに調節し、小剣部の上に大剣部を重ねる（図４（１）参照）。
【００４０】
（手順２）
そして、大剣部を小剣部の後から上方に回して前面に出す。その結果、小剣部の上に大剣部が重ねられた状態となり、結び目が作成される（図４（２）参照）。
【００４１】
（手順３）
作成した結び目の下部に当該ネクタイ留め具１を卷回する（図４（３）参照）。
【００４２】
（手順４）
最後に、当該ネクタイ留め具１の係止部３を被係止部４に係止することにより、ネクタイを装着することができる（図４（４）参照）。
【００４３】
＜利点＞
当該ネクタイ留め具１においては、帯状の留め具本体２が、ネクタイを卷回可能な可撓性を有しているため、ネクタイの大剣部と小剣部とをあわした状態でネクタイを卷回することができる。そして、当該ネクタイ留め具１の係止部３と被係止部４に係止することにより、ネクタイの小剣部と大剣部とあわした箇所がネクタイ留め具１により係止される。これにより、ネクタイを容易かつ簡便に装着することができる。
【００４４】
また、当該ネクタイ留め具１は、複数の被係止部４が、留め具本体２の長手方向に沿って配設されているので、係止部３を係止する被係止部４を選択することで、ネクタイに卷回する際の締め付け度を調整することができる。
【００４５】
さらに、当該ネクタイ留め具１は帯状の留め具本体１が弾性復元力を有しているので、両端部に配設された鉤状の係止部３と被係止部４との係合状態が好適に維持される。
【００４６】
また、当該ネクタイ留め具１は、滑止部５をネクタイとの当接側の面に有しているため、当該ネクタイ留め具１とネクタイとのズレを防止することができる。また、滑止部５は部分的に形成されるため、留め具本体１の可撓性を阻害し難い。
【００４７】
さらに、留め具本体１の長手方向の辺が波状に湾曲して設けられているので、ネクタイに巻回した際に留め具本体１の波状に湾曲した部分が引っ掛かりやすく、当該ネクタイ留め具１とネクタイとのズレをより防止することができる。
【００４８】
＜その他の実施形態＞
本実施形態は上記構成からなり、上述の利点を奏するものであったが、本発明は上記実施形態に限定されるものではなく、本発明の意図する範囲内において適宜設計変更可能である。
【００４９】
上記実施形態では、当該ネクタイ留め具１の留め具本体２の形成材料として、ポリプロピレン、ポリエチレン、ポリエチレンテレフタレート等の合成樹脂を採用可能であることを説明したが、皮革製品を採用することもできる。皮革製品は、天然皮革、人造皮革とも採用可能である。これにより、装飾性に優れた当該ネクタイ留め具を形成することができる。
【００５０】
また、留め具本体２は、帯状の紐であってもよい。用いられる紐としては、木綿、麻、絹や合成樹脂の紐を用いることができる。
【００５１】
また、上記実施形態では、係止部３は、鉤状であることを説明したが、本発明はこれに限定されるものではない。例えば、係止部３にフック状に起毛された面ファスナーを採用することができる。そして、被係止部４をループ状に起毛した面ファスナーを採用することで、係止部３を被係止部４に係止することができる。
【００５２】
また、係止部及び被係止部は、スナップボタンを採用することもできる。留め具本体２のネクタイの当接側の面の一の端部にスナップボタンの凸側を配設し、留め具本体２の表面側（ネクタイの当接側の面の反対面）他の端部にスナップボタンの凹側を配設する。係止部及び被係止部にスナップボタンを採用することにより、簡便に係止部を被係止部に係止することができる。
【００５３】
係止部及び被係止部に配設されるスナップボタンとしては、特に限定されないが、公知のボタンを採用することができる、例えば、金属製、樹脂製のスナップボタンを採用することができる。また、スナップボタンの大きさは、特に限定されないが、スナップボタンの形状が円状である場合において、円状の半径が０．２ｃｍ以上１．５ｃｍ以下であることが好ましい。
【００５４】
当該ネクタイ留め具１の被係止部４として、留め具本体２の他の端部に複数個形成されるものを説明したが、本発明はこれに限定されるものではない。当該ネクタイ留め具１が一つの被係止部を有するものであれば本発明の意図する範囲内である。
【００５５】
また、当該ネクタイ留め具１においては、滑止部は、ネクタイの当接側の面に全面に配設されていてもよい。また、滑止部は留め具本体と一体成型されているものであっても良く、例えば帯状の留め具本体と、この留め具本体の一方の面から突設された複数の突起（滑止部）とが樹脂等によって一体成型されているものも本発明の意図する範囲内である。
【００５６】
さらに、上記実施形態では留め具本体２の長手方向の辺を波状に湾曲したものについて説明したが本発明はこれに限定されるものではなく、上記辺が直線状に設けられているものも本発明の意図する範囲内である。さらには、留め具本体２の表面、つまりネクタイとの当接側の面の反対側の面に、ビーズ等の装飾性を有する部材を配設してもよい。このように、当該ネクタイ留め具１は、当該ネクタイ留め具１によってネクタイを装着した際の当該ネクタイ留め具１の装飾性を向上させることができる。
【産業上の利用可能性】
【００５７】
以上のように、本発明のネクタイ留め具及びネクタイセットは、ネクタイを容易かつ簡便に装着することができるため、通常のネクタイを装着する際に好適に用いられる。
【符号の説明】
【００５８】
１  ネクタイ留め具
２  留め具本体
３  係止部
４  被係止部
５  滑止部
５ａ  突起
【図１】
2014054325.tif 000003
【図２】
2014054325.tif 000004
【図３】
2014054325.tif 000005
【図４】
2014054325.tif 000006
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
可撓性を有し、ネクタイに巻回可能な帯状の留め具本体と、
この留め具本体の一の端部に付設される係止部と、
この留め具本体の他の端部に形成され、上記係止部に係脱可能な被係止部と
を備え、
上記留め具本体が、弾性復元力を有し、外力が作用しない状態において平板状であり、
上記留め具本体のネクタイとの当接側の面に付設される滑止部をさらに備えることを特徴とするネクタイ留め具。
【請求項２】
上記滑止部が、留め具本体のネクタイとの当接側の面に部分的に配設される請求項１に記載のネクタイ留め具。
【請求項３】
複数の上記被係止部を備える請求項１又は請求項２に記載のネクタイ留め具。
【請求項４】
請求項１、請求項２又は請求項３に記載のネクタイ留め具と、
ネクタイと
を備えるネクタイセット。
【手続補正２】
【補正対象書類名】明細書
【補正対象項目名】０００７
【補正方法】変更
【補正の内容】
【０００７】
上記課題を解決するためになされた本発明のネクタイ留め具は、可撓性を有し、ネクタイに巻回可能な帯状の留め具本体と、この留め具本体の一の端部に付設される係止部と、この留め具本体の他の端部に形成され、上記係止部に係脱可能な被係止部とを備え、上記留め具本体が、弾性復元力を有し、外力が作用しない状態において平板状であり、上記留め具本体のネクタイとの当接側の面に付設される滑止部をさらに備えることを特徴とする。
【手続補正３】
【補正対象書類名】明細書
【補正対象項目名】０００９
【補正方法】変更
【補正の内容】
【０００９】
また、当該ネクタイ留め具は、上記留め具本体のネクタイとの当接側の面に付設される滑止部をさらに備えることにより、当該ネクタイ留め具とネクタイとのズレを防ぐことができる。